(57)【要約】  ＡＣ−ＤＣ変換回路（１００３）にてＡＣ電源（１００１）を直流に変換した第１のＤＣ電源電圧（１６０）を、ＰＷＭスイッチする第１のスイッチ（１１１）を介して出力した第２のＤＣ電源電圧（１６１）を平滑化して出力ＤＣ電源電圧（１６３）として負荷に給電するとともに、ＰＷＭスイッチする第３のスイッチ（１１３）を介して電池（１２０）に供給して充電を行い、かつ、電池（１２０）から出力される第３の電源電圧（１６２）はＰＷＭスイッチする第４のスイッチ（１１４）を介して第１のスイッチ（１１１）の出力側に出力する。プロセッサ（１０１）は、第１，第３の電源電圧（１６０，１６２）、出力ＤＣ電源電圧（１６３）の電圧値の読み取り結果および外部からの入力制御信号に基づき、第１〜第４スイッチ（１１１〜１１４）のスイッチング動作を制御するための制御信号（１３０）をドライバ（１０２）に適宜送信する。
2012147263.tif 000002
【特許請求の範囲】
【請求項１】
交流電源を入力して直流電源電圧に変換して第１のＤＣ電源電圧として出力するＡＣ−ＤＣ変換回路と、
前記ＡＣ−ＤＣ変換回路から出力される前記第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する第１のスイッチと、
前記第２のＤＣ電源電圧を、平滑化して、出力ＤＣ電源電圧として、負荷側に給電するインダクタンスとキャパシタとからなる平滑回路と、
前記第２のＤＣ電源電圧を、前記ドライバからの第２の制御信号に基づいて、オンにして、接地電位に落とし、前記平滑回路への出力を停止するか、または、オフにして、前記平滑回路へ出力する第２のスイッチと、
前記ＡＣ−ＤＣ変換回路から出力される前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する第３のスイッチと、
前記第３のスイッチの出力側とグランドとの間に接続した二次電池から出力される電池電圧を、前記ドライバからの第４の制御信号に基づいて、指定されたパルス幅でオン／オフ動作を行い、前記ＡＣ−ＤＣ変換回路から出力される前記第１のＤＣ電源電圧の代わりにまたは該第１のＤＣ電源電圧とともに、前記第１のスイッチの出力側に前記第２の電源電圧として出力するか、または、オフにして、出力を遮断する第４のスイッチと、
前記出力ＤＣ電源電圧の電圧値を第１のデジタル信号に変換する第１のアナログ−デジタル変換回路と、
前記電池電圧の電圧値を第２のデジタル信号に変換する第２のアナログ−デジタル変換回路と、
前記第１のＤＣ電源電圧の電圧値を第３のデジタル信号に変換する第３のアナログ−デジタル変換回路と、
前記第１ないし第３のアナログ−デジタル変換回路から出力されてくる前記第１ないし第３のデジタル信号および外部から入力される入力制御信号に基づいて、前記ドライバに対する制御信号を生成して、前記ドライバに対して出力することによって、前記ドライバから前記第１ないし第４のスイッチに対して前記第１ないし第４の制御信号を出力させるプロセッサと、
を少なくとも備えていることを特徴とする無停電電源装置。
【請求項２】
前記二次電池が、Ｎ個（Ｎ：正整数）の電池セルを直列接続した組電池をＭ組（Ｍ：正整数）並列接続するか、または、Ｍ個の電池セルを並列接続した組電池をＮ組直列接続して構成していることを特徴とする請求項１に記載の無停電電源装置。
【請求項３】
前記プロセッサからの選択用制御信号に基づいて、各前記電池セルの出力側それぞれに接続された電源ラインのいずれかを選択して前記第２のアナログ−デジタル変換回路に接続するセレクタを備え、
前記プロセッサは、前記選択用制御信号を生成して前記セレクタに対して出力することを特徴とする請求項２に記載の無停電電源装置。
【請求項４】
前記第１ないし第４のスイッチが、半導体スイッチからなっていることを特徴とする請求項１ないし３のいずれかに記載の無停電電源装置。
【請求項５】
電池検査周期としてあらかじめ定めた一定周期ごとに、前記プロセッサは、二次電池検査状態に移行して、前記第１のスイッチから出力される前記第１の電源電圧による前記負荷側への給電動作を継続しつつ、前記二次電池の劣化状態を検査する動作を定期的に行うことを特徴とする請求項１ないし４のいずれかに記載の無停電電源装置。
【請求項６】
前記二次電池検査状態において、あらかじめ定めた時間間隔ごとに、前記プロセッサは、前記第３の制御信号または第４の制御信号のパルス幅をあらかじめ定めた正弦波状に徐々に増減させるかあるいは出力を停止させて、前記第３のスイッチまたは前記第４のスイッチのオン時間を該正弦波状に徐々に増減させるか、あるいは、前記第３のスイッチまたは前記第４のスイッチをオフに設定した状態に制御して、前記第２のアナログ−デジタル変換回路から出力されてくる前記第２のデジタル信号を読み取ることにより、前記二次電池または該二次電池を構成する組電池の各電池セルから出力される前記電池電圧の電圧値が、あらかじめ定めた周期において正弦波状に変化した電圧値であるか否かを測定することを特徴とする請求項５に記載の無停電電源装置。
【請求項７】
あらかじめ定めた前記時間間隔として、あらかじめ定めた前記周期を第１ないし第４の時間間隔の４つに分割し、前記第１の時間間隔においては、前記第３のスイッチに対する前記第３の制御信号のパルス幅を正弦波状に徐々に減少させる一方、前記第４のスイッチに対する前記第４の制御信号の出力を論理レベル"０"に設定し、また、前記第２の時間間隔においては、前記第４のスイッチに対する前記第４の制御信号のパルス幅を正弦波状に徐々に増加させる一方、前記第３のスイッチに対する前記第３の制御信号の出力を論理レベル"０"に設定し、また、前記第３の時間間隔においては、前記第４のスイッチに対する前記第４の制御信号のパルス幅を正弦波状に徐々に減少させる一方、前記第３のスイッチに対する前記第３の制御信号の出力を論理レベル"０"に設定し、また、前記第４の時間間隔においては、前記第３のスイッチに対する前記第３の制御信号のパルス幅を正弦波状に徐々に増加させる一方、前記第４のスイッチに対する前記第４の制御信号の出力を論理レベル"０"に設定することを特徴とする請求項６に記載の無停電電源装置。
【請求項８】
前記二次電池検査状態において、前記ドライバは、前記プロセッサからの制御信号に基づいて、前記第１のスイッチのオン時間と前記第４のスイッチのオン時間とが互いに重ならないように、前記第４のスイッチに対する前記第４の制御信号のパルス位相を設定することを特徴とする請求項６または７に記載の無停電電源装置。
【請求項９】
前記二次電池検査状態において、前記ドライバは、前記プロセッサからの制御信号に基づいて、前記第４のスイッチに対する前記第４の制御信号のパルス幅の変化に対応付けて、前記第１のスイッチに対する前記第１の制御信号のパルス数を間引くか、あるいは、パルス幅を狭くすることを特徴とする請求項６ないし８のいずれかに記載の無停電電源装置。
【請求項１０】
第１のスイッチが、第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する工程と、
第２のスイッチが、前記ドライバからの第２の制御信号に基づいて、前記第２のＤＣ電源電圧を、接地電位に落とすか、または平滑化して、出力ＤＣ電源電圧として、負荷側に給電する工程と、
第３のスイッチが、前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する工程と、
第４のスイッチが、二次電池から出力される電池電圧を、前記ドライバからの第４の制御信号に基づいて、指定されたパルス幅でオン／オフ動作を行い、前記第１のＤＣ電源電圧の代わりにまたは該第１のＤＣ電源電圧とともに、前記第１のスイッチの出力側に前記第２の電源電圧として出力するか、または、オフにして、出力を遮断する工程と、
を少なくとも備えていることを特徴とする無停電電源装置の制御方法。
【発明の詳細な説明】
【技術分野】
【０００１】
本発明は、無停電電源装置及び制御方法に関し、特に、二次電池を備えることによって、一時的な停電が発生しても電源供給を継続することができる無停電電源装置及び制御方法に関する。
【背景技術】
【０００２】
停電または一時的な電源電圧の低下は、使用中の電子機器の作業が中断するだけでなく、記憶データを破壊したり、機械的な故障に繋がったりするなど大きな問題を引き起こすことが多い。【０００３】
そこで、特許文献１に示す特開２００６−２７１０７４号公報「無停電電源システム」においては、二次電池（バッテリ）を備えることによって、一時的な停電が発生しても電源供給を継続することができる無停電電源装置を提案している。また、搭載する二次電池は充電したまま保存する必要があるが、経年劣化するため随時劣化具合を測定し、定期的に交換する必要がある。特許文献２に示す特開２０００−１２１７１０号公報「バックアップ電源用電池管理装置およびそれを用いる二次電池の劣化診断方法」においては、定電流でパルス放電させて、放電前と放電中の電池電圧を測定することによって二次電池の劣化程度を推定することを可能にする二次電池の劣化測定技術が提案されている。
【先行技術文献】
【特許文献】
【０００４】
【特許文献１】特開２００６−２７１０７４号公報（第４−６頁）
【特許文献２】特開２０００−１２１７１０号公報（第３−４頁）
【発明の概要】
【発明が解決しようとする課題】
【０００５】
前述のように、停電および一時的な電源電圧の低下が電子機器に大きな影響を与えることは広く認識されるようになって、電源装置として無停電電源装置を導入することが多くなってきている。しかし、家電機器への普及率は非常に低い。普及率が低い要因は、主に、無停電電源装置が高価であること、回路規模が大きく体積が大きいことによっている。【０００６】
図８は、ノート型パソコン等において一般的に用いられている二次電池を備えた無停止型電源装置の装置構成を示すブロック構成図である。図８の無停止型電源装置は、交流電源ラインからの商用交流電源（ＡＣ電源）１００１を入力してノイズを除去するフィルタ１００２、フィルタ１００２からのＡＣ電源をＤＣ３Ｖ〜４８ＶのＤＣ電源電圧１０１１に変換するＡＣ−ＤＣ変換回路１００３を備える。さらに、当該無停止型電源装置は、ＡＣ−ＤＣ変換回路１００３からの出力電源ライン上のＤＣ電源電圧１０１１を受け取って停電の有無を判定する停電判定回路１００４、電圧レベルの劣化を検出して充電動作を制御する劣化検出・充電制御回路１００５を備えている。【０００７】
さらに、無停止型電源装置は、劣化検出・充電制御回路１００５からの出力電源ライン上のＤＣ電源電圧１０１２を受け取って充電動作を行い、停電時にはバックアップ電源として放電動作を行う二次電池１００６を備える。さらに、無停止型電源装置は、停電判定回路１００４からの出力信号ライン上の停電判定信号１０１４に応じて、ＡＣ−ＤＣ変換回路１００３からの出力電源ライン上のＤＣ電源電圧１０１１と二次電池１００６からの出力電源ライン上のＤＣ電源電圧１０１３とを切り替えるセレクタ１００７を備える。【０００８】
さらには、無停止型電源装置は、セレクタ１００７からの出力電源ライン上のＤＣ電源電圧１０１５を受け取って、ＤＣ１２Ｖの電圧に変換する第１のＤＣ−ＤＣ変換回路１００８と、第１のＤＣ−ＤＣ変換回路１００８からの電源出力ライン上の出力ＤＣ電源電圧１０１６を受け取って、異なる電圧または異なる系統のＤＣ電源として、５ＶのＤＣ電圧を生成して出力する第２のＤＣ−ＤＣ変換回路１００９と、１．５ＶのＤＣ電圧を生成して出力する第３のＤＣ−ＤＣ変換回路１０１０とを備える。【０００９】
すなわち、図８の無停止型電源装置は、交流電源ライン上の５０〜６０ＨｚのＡＣ１００〜２２０Ｖの商用交流電源すなわちＡＣ電源１００１を入力して、第１のＤＣ−ＤＣ変換回路１００８から１２Ｖの出力ＤＣ電源電圧１０１６、第２のＤＣ−ＤＣ変換回路１００９から５Ｖの出力ＤＣ電源電圧１０１７、第３のＤＣ−ＤＣ変換回路１０１０から１．５Ｖの出力ＤＣ電源電圧１０１８、の３種類ＤＣ電源電圧を出力する。【００１０】
図８の無停止型電源装置に示すように、停電判定回路１００４と、劣化検出・充電制御回路１００５とが独立して動作する場合、二次電池の劣化検出のために消費される電力を再利用することができず、電源装置の変換効率が低下するという問題があった。【００１１】
本発明は、かかる問題を解決するためになされたものであり、電源装置の変換効率を向上させることが可能な無停電電源装置及び制御方法を提供する。
【課題を解決するための手段】
【００１２】
前述の課題を解決するため、本発明による無停電電源装置は、主に、次のような特徴的な構成を採用している。【００１３】
本発明による無停電電源装置は、
交流電源を入力して直流電源電圧に変換して第１のＤＣ電源電圧として出力するＡＣ−ＤＣ変換回路と、
前記ＡＣ−ＤＣ変換回路から出力される前記第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する第１のスイッチと、
前記第２のＤＣ電源電圧を、平滑化して、出力ＤＣ電源電圧として、負荷側に給電するインダクタンスとキャパシタとからなる平滑回路と、
前記第２のＤＣ電源電圧を、ドライバからの第２の制御信号に基づいて、オンにして、接地電位に落とし、前記平滑回路への出力を停止するか、または、オフにして、前記平滑回路へ出力する第２のスイッチと、
を少なくとも備えるとともに、
バックアップ用の二次電池を備えて構成される無停電電源装置であって、さらに、
前記ＡＣ−ＤＣ変換回路から出力される前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する第３のスイッチと、
前記第３のスイッチの出力側とグランドとの間に接続した前記二次電池から出力される電池電圧を、前記ドライバからの第４の制御信号に基づいて、指定されたパルス幅でオン／オフ動作を行い、前記ＡＣ−ＤＣ変換回路から出力される前記第１のＤＣ電源電圧の代わりにまたは該第１のＤＣ電源電圧とともに、前記第１のスイッチの出力側に前記第２の電源電圧として出力するか、または、オフにして、出力を遮断する第４のスイッチと、
前記出力ＤＣ電源電圧の電圧値を第１のデジタル信号に変換する第１のアナログ−デジタル変換回路と、
前記電池電圧の電圧値を第２のデジタル信号に変換する第２のアナログ−デジタル変換回路と、
前記第１のＤＣ電源電圧の電圧値を第３のデジタル信号に変換する第３のアナログ−デジタル変換回路と、
前記第１ないし第３のアナログ−デジタル変換回路から出力されてくる前記第１ないし第３のデジタル信号および外部から入力される入力制御信号に基づいて、前記ドライバに対する制御信号を生成して、前記ドライバに対して出力することによって、前記ドライバから前記第１ないし第４のスイッチに対して前記第１ないし第４の制御信号を出力させるプロセッサと、
を少なくとも備えていることを特徴とする。【００１４】
前述の課題を解決するため、本発明による無停電電源装置の制御方法は、主に、次のような特徴的な工程を採用している。【００１５】
本発明による無停電電源装置の制御方法は、
第１のスイッチが、第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する工程と、
第２のスイッチが、前記ドライバからの第２の制御信号に基づいて、前記第２のＤＣ電源電圧を、接地電位に落とすか、または平滑化して、出力ＤＣ電源電圧として、負荷側に給電する工程と、
第３のスイッチが、前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する工程と、
第４のスイッチが、二次電池から出力される電池電圧を、前記ドライバからの第４の制御信号に基づいて、指定されたパルス幅でオン／オフ動作を行い、前記第１のＤＣ電源電圧の代わりにまたは該第１のＤＣ電源電圧とともに、前記第１のスイッチの出力側に前記第２の電源電圧として出力するか、または、オフにして、出力を遮断する工程と、
を少なくとも備えていることを特徴とする。
【発明の効果】
【００１６】
本発明によれば、経年劣化する二次電池の特性を測定するために消費される電力を再利用して、負荷側に供給することを可能にすることによって、変換効率が高い無停電電源装置及び制御方法を実現することができる。
【図面の簡単な説明】
【００１７】
【図１】本発明による無停電電源装置のブロック構成の一例を示すブロック構成図である。
【図２】図１の無停電電源装置の電池を直列接続した複数の電池セルによって構成する場合のブロック構成の一例を示すブロック構成図である。
【図３】図１および図２の無停電電源装置の動作の一例を説明する状態遷移図である。
【図４】図１および図２の無停電電源装置の各部位の信号波形の変化の様子を示す後述の図５ないし図７のタイミングチャートのそれぞれが、図３に示す状態遷移図のどの遷移過程を経た場合のものであるかを示すための説明図である。
【図５】図１および図２の無停電電源装置の動作の一例を第１の動作シーケンスとして示すタイミングチャートである。
【図６】図１および図２の無停電電源装置の動作の図５とは異なる例を第２の動作シーケンスとして示すタイミングチャートである。
【図７】図１および図２の無停電電源装置の動作の図５、図６とは異なる例を第３の動作シーケンスとして示すタイミングチャートである。
【図８】ノート型パソコン等において一般的に用いられている二次電池を備えた無停止型電源装置の装置構成を示すブロック構成図である。
【発明を実施するための形態】
【００１８】
以下、本発明による無停電電源装置及び制御方法の好適な実施形態について添付図を参照して説明する。
【００１９】
（本発明の特徴）
本発明の実施形態の説明に先立って、本発明の特徴についてその概要をまず説明する。本発明は、回路規模を最少限に抑えることによって体積当たりの電力変換量を向上させるとともに、経年劣化する二次電池の特性を測定するために消費される電力を再利用して、負荷の電子機器に供給することを可能にすることによって、変換効率を高める無停電電源装置を実現することを、主要な特徴としている。
【００２０】
（本発明の実施形態の構成例）
次に、本発明による無停電電源装置の構成例について、図１を用いて説明する。図１は、本発明による無停電電源装置のブロック構成の一例を示すブロック構成図である。
【００２１】
図１に示す無停電電源装置においては、交流電源ラインからのＡＣ１００〜２２０Ｖの商用交流電源(ＡＣ電源)１００１を、ノイズを除去するためのフィルタ１００２を介してＡＣ−ＤＣ変換回路１００３に入力する。ＡＣ−ＤＣ変換回路１００３は、フィルタ１００２からのＡＣ電源を変換して第１のＤＣ電源電圧１６０として出力する。
【００２２】
また、第１のスイッチ１１１は、ドライバ１０２からの第１の制御信号１７１を制御信号入力とし、ＡＣ−ＤＣ変換回路１００３からの第１のＤＣ電源電圧１６０を入力して、あらかじめ定めたパルス幅でオン／オフ動作を行い、鋸歯波状の第２のＤＣ電源電圧１６１を出力するか、または、オフにして、出力を遮断する。第３のスイッチ１１３は、ドライバ１０２からの第３の制御信号１７３を制御信号入力とし、ＡＣ−ＤＣ変換回路１００３からの第１のＤＣ電源電圧１６０を入力して、指定されたパルス幅でオン／オフ動作を行い、第３のＤＣ電源電圧１６２を出力するか、または、オフにして、出力を遮断する。
【００２３】
また、第４のスイッチ１１４は、ドライバ１０２からの第４の制御信号１７４を制御信号入力とし、第３のスイッチ１１３からの第３のＤＣ電源電圧１６２すなわち電池１２０が出力する電池電圧を入力して、指定されたパルス幅でオン／オフ動作を行い、ＡＣ−ＤＣ変換回路１００３から出力される第１のＤＣ電源電圧１６０の代わりにまたは第１のＤＣ電源電圧１６０とともに、第１のスイッチ１１１の出力側に第２のＤＣ電源電圧１６１として出力するか、または、オフにして、出力を遮断する。第２のスイッチ１１２は、ドライバ１０２からの第２の制御信号１７２を制御信号入力とし、第１のスイッチ１１１および第４のスイッチ１１４からの第２のＤＣ電源電圧１６１を入力として、第２のグランド１９８を出力とする。つまり、第２のスイッチ１１２は、第２の制御信号１７２に応じて、オフにして、第１のスイッチ１１１および第４のスイッチ１１４からの第２のＤＣ電源電圧１６１を出力するか、または、オンにして、第２のＤＣ電源電圧１６１を第２のグランド１９８の接地電位に落として、出力を停止する。
【００２４】
電池１２０は、充電が可能な二次電池（バッテリ）であり、第３のスイッチ１１３から第３のＤＣ電源電圧１６２を出力する電源ラインをプラス端子に接続し、第１のグランド１９７をマイナス端子に接続する。プロセッサ１０１は、外部からの入力制御信号２００を制御信号入力とし、第１のアナログ−デジタル変換回路１０３，第２のアナログ−デジタル変換回路１０４，第３のアナログ−デジタル変換回路１０５それぞれからの第１のデジタル信号１８３，第２のデジタル信号１８４，第３のデジタル信号１８５を入力して、ドライバ１０２に対する制御信号１３０と外部への出力ステータス信号２０１とを出力する。
【００２５】
ここで、プロセッサ１０１への入力制御信号２００は、リセット、二次電池（バッテリ）つまり電池１２０交換開始／終了、テスト動作、バックアップ動作停止／開始、電圧制御方式、負荷状況通知、等の無停電電源装置を制御するための情報からなっている。一方、プロセッサ１０１からの出力ステータス信号２０１は、シャットダウン指示信号、二次電池（バッテリ）つまり電池１２０のステータス、テスト完了、テスト結果、等の無停電電源装置の状況や指示情報を示すステータス情報からなっている。
【００２６】
ドライバ１０２は、プロセッサ１０１からの制御信号１３０を入力とし、第１のスイッチ１１１，第２のスイッチ１１２，第３のスイッチ１１３，第４のスイッチ１１４それぞれに対する第１の制御信号１７１，第２の制御信号１７２，第３の制御信号１７３，第４の制御信号１７４を出力する。
【００２７】
第１のアナログ−デジタル変換回路１０３は、負荷側へ出力する最終段の出力ＤＣ電源電圧１６３の電圧値を読み取ってデジタル値に変換して、プロセッサ１０１への第１のデジタル信号１８３として出力する。第２のアナログ−デジタル変換回路１０４は、第３のスイッチ１１３からの第３のＤＣ電源電圧１６２の電圧値つまり電池１２０のプラス端子における電圧値を読み取ってデジタル値に変換して、プロセッサ１０１への第２のデジタル信号１８４として出力する。第３のアナログ−デジタル変換回路１０５は、ＡＣ−ＤＣ変換回路１００３からの第１のＤＣ電源電圧１６０の電圧値を読み取ってデジタル値に変換して、プロセッサ１０１への第３のデジタル信号１８５として出力する。
【００２８】
インダクタンス１４０は、第１のスイッチ１１１および第４のスイッチ１１４から第２のＤＣ電源電圧１６１を出力する電源ラインと最終段の出力ＤＣ電源電圧１６３を出力する出力電源ラインとの間に接続する。キャパシタ１２１は、最終段の出力ＤＣ電源電圧１６３を出力する出力電源ラインをプラス端子に接続し、第３のグランド１９９をマイナス端子に接続する。つまり、インダクタンス１４０とキャパシタ１２１とは、鋸歯波状の第２のＤＣ電源電圧１６１を平滑化して、平坦な出力ＤＣ電源電圧１６３を出力する平滑回路を構成している。
【００２９】
次に、図１に示した無停電電源装置の電池１２０を直列接続した複数の電池セルによって構成している場合について、各電池セル間の特性の差異を測定する機能を備えた無停電電源装置の構成例を、図２を用いて説明する。図２は、図１の無停電電源装置の電池１２０を直列接続した複数の電池セルによって構成する場合のブロック構成の一例を示すブロック構成図である。ここに、電池１２０は、前述したように、それぞれが充電可能な二次電池（バッテリ）からなる電池セルを複数組み合わせた組電池によって形成されており、かつ、プロセッサ１０１は、各電池セル間の特性の差異を測定することができる機能を備えている。
【００３０】
図２に示す無停電電源装置は、電池１２０を直列接続した複数の電池セル３００，３０１，３０２，３０３によって構成していること、各電池セル３００，３０１，３０２，３０３の電圧値を切り替えて読み取るためのセレクタ３１０を追加していること、および、プロセッサ１０１に各電池セル３００，３０１，３０２，３０３の特性の差異を測定するための機能を追加していること、を除いて、図１に示した無停電電源装置と全く同様である。以下に、図２の無停電電源装置のブロック構成について説明する。
【００３１】
図２に示す無停電電源装置においても、図１の場合と同様、交流電源ラインからのＡＣ１００〜２２０Ｖの商用交流電源(ＡＣ電源)１００１を、フィルタ１００２を介してＡＣ−ＤＣ変換回路１００３に入力する。ＡＣ−ＤＣ変換回路１００３は、フィルタ１００２からのＡＣ電源を変換して第１のＤＣ電源電圧１６０として出力する。
【００３２】
また、第１のスイッチ１１１は、図１の場合と同様、ドライバ１０２からの第１の制御信号１７１を制御信号入力とし、ＡＣ−ＤＣ変換回路１００３からの第１のＤＣ電源電圧１６０を入力して、あらかじめ定めたパルス幅でオン／オフ動作を行い、鋸歯波状の第２のＤＣ電源電圧１６１を出力するか、または、オフにして、出力を遮断する。第３のスイッチ１１３も、図１の場合と同様、ドライバ１０２からの第３の制御信号１７３を制御信号入力とし、ＡＣ−ＤＣ変換回路１００３からの第１のＤＣ電源電圧１６０を入力して、指定されたパルス幅でオン／オフ動作を行い、鋸歯波状の第３のＤＣ電源電圧１６２を出力するか、または、オフにして、出力を遮断する。
【００３３】
また、第４のスイッチ１１４も、図１の場合と同様、ドライバ１０２からの第４の制御信号１７４を制御信号入力とし、第３のスイッチ１１３からの第３のＤＣ電源電圧１６２すなわち組電池からなる電池１２０が出力する電池電圧を入力して、指定されたパルス幅でオン／オフ動作を行い、ＡＣ−ＤＣ変換回路１００３から出力される第１のＤＣ電源電圧１６０とともに、第１のスイッチ１１１の出力側に第２のＤＣ電源電圧１６１として出力するか、または、オフにして、出力を遮断する。第２のスイッチ１１２も、図１の場合と同様、ドライバ１０２からの第２の制御信号１７２を制御信号入力とし、第１のスイッチ１１１および第４のスイッチ１１４からの第２のＤＣ電源電圧１６１を入力として、第２のグランド１９８を出力とする。つまり、第２のスイッチ１１２は、第２の制御信号１７２に応じて、オフにして、第１のスイッチ１１１および第４のスイッチ１１４からの第２のＤＣ電源電圧１６１を出力するか、または、オンにして、第２のＤＣ電源電圧１６１を第２のグランド１９８の接地電位に落として、出力を停止する。
【００３４】
また、電池１２０は、図１の場合とは異なり、充電が可能な二次電池（バッテリ）として複数の電池セル３００，…，電池セル３０３が直列接続されており、先頭の電池セル３００のプラス端子に第３のスイッチ１１３から第３のＤＣ電源電圧１６２を出力する電源ラインを接続し、最後尾の電池セル３０３のマイナス端子に第１のグランド１９７を接続する。
【００３５】
また、電池セル３００，…，電池セル３０３それぞれの電池電圧３４０，…，電池電圧３４３を測定するための電源ラインそれぞれにはセレクタ３１０の入力側が接続される。セレクタ３１０は、プロセッサ１０１が出力する選択用制御信号３２０に応じて、電池電圧３４０，…，電池電圧３４３を測定するための各電源ラインのいずれかを選択して、選択した電池セルからの電池電圧を出力電池電圧３３０として出力する切り替えスイッチであり、電池セル３００，…，電池セル３０３のうち選択した電池セルのプラス端子側に接続した電源ライン上のＤＣ電源電圧を、出力電池電圧３３０として第２のアナログ−デジタル変換回路１０４に入力する。
【００３６】
プロセッサ１０１は、外部からの入力制御信号２００を制御信号入力とし、第１のアナログ−デジタル変換回路１０３，第２のアナログ−デジタル変換回路１０４，第３のアナログ−デジタル変換回路１０５それぞれからの第１のデジタル信号１８３，第２のデジタル信号１８４，第３のデジタル信号１８５を入力して、ドライバ１０２に対する制御信号１３０と外部への出力ステータス信号２０１とを出力する。なお、プロセッサ１０１は、第２のアナログ−デジタル変換回路１０４から入力される第２のデジタル信号１８４に基づいて、各電池セル３００，…，電池セル３０３の特性の違いを分析する機能を備えている。
【００３７】
ここで、プロセッサ１０１への入力制御信号２００は、図１の場合と同様、リセット、二次電池（バッテリ）つまり電池１２０交換開始／終了、テスト動作、バックアップ動作停止／開始、電圧制御方式、負荷状況通知、等の無停電電源装置を制御するための情報からなっている。一方、プロセッサ１０１からの出力ステータス信号２０１も、図１の場合と同様、シャットダウン指示信号、二次電池（バッテリ）つまり電池１２０のステータス、テスト完了、テスト結果、等の無停電電源装置の状況や指示情報を示すステータス情報からなっている。
【００３８】
ドライバ１０２は、図１の場合と同様、プロセッサ１０１からの制御信号１３０を入力とし、第１のスイッチ１１１，第２のスイッチ１１２，第３のスイッチ１１３，第４のスイッチ１１４それぞれに対する第１の制御信号１７１，第２の制御信号１７２，第３の制御信号１７３，第４の制御信号１７４を出力する。
【００３９】
第１のアナログ−デジタル変換回路１０３は、図１の場合と同様、負荷側へ出力する最終段の出力ＤＣ電源電圧１６３の電圧値を読み取ってデジタル値に変換して、プロセッサ１０１への第１のデジタル信号１８３として出力する。第２のアナログ−デジタル変換回路１０４は、図１の場合とは異なり、セレクタ３１０からの出力電池電圧３３０の電圧値つまり各電池セル３００，…，電池セル３０３のプラス端子における電圧値（すなわち電池電圧３４０，…，電池電圧３４３の電圧値）を読み取ってデジタル値に変換して、プロセッサ１０１への第２のデジタル信号１８４として出力する。第３のアナログ−デジタル変換回路１０５は、図１の場合と同様、ＡＣ−ＤＣ変換回路１００３からの第１のＤＣ電源電圧１６０の電圧値を読み取ってデジタル値に変換して、プロセッサ１０１への第３のデジタル信号１８５として出力する。
【００４０】
インダクタンス１４０は、図１の場合と同様、第１のスイッチ１１１および第４のスイッチ１１４から第２のＤＣ電源電圧１６１を出力する電源ラインと最終段の出力ＤＣ電源電圧１６３を出力する出力電源ラインとの間に接続する。キャパシタ１２１も、図１の場合と同様、最終段の出力ＤＣ電源電圧１６３を出力する出力電源ラインをプラス端子に接続し、第３のグランド１９９をマイナス端子に接続する。つまり、インダクタンス１４０とキャパシタ１２１とは、鋸歯波状の第２のＤＣ電源電圧１６１を平滑化して、平坦な出力ＤＣ電源電圧１６３を出力する平滑回路を構成している。
【００４１】
（本発明の実施形態の動作の説明）
次に、本発明による無停電電源装置の一例として図１、図２に示した無停電電源装置の動作について、その一例を、図３および図４の状態遷移図、および、図５ないし図７のタイミングチャートを用いて説明する。図３は、図１および図２の無停電電源装置の動作の一例を説明する状態遷移図であり、図４は、図１および図２の無停電電源装置の各部位の信号波形の変化の様子を示す後述の図５ないし図７のタイミングチャートすなわち第１の動作シーケンスないし第３の動作シーケンスのそれぞれが、図３に示す状態遷移図のどの遷移過程を経た場合のものであるかを示すための説明図である。
【００４２】
また、図５は、図１および図２の無停電電源装置の動作の一例を第１の動作シーケンスとして示すタイミングチャートであり、正常運転中に停電が発生した場合にはバックアップ用の二次電池（バッテリ）すなわち電池１２０からの給電動作に切り替わるが、停電期間が短く、再び正常動作に復帰する場合の動作を示している。図６は、図１および図２の無停電電源装置の動作の図５とは異なる例を第２の動作シーケンスとして示すタイミングチャートであり、電池検査周期としてあらかじめ定めた一定の周期で二次電池（バッテリ）すなわち電池１２０の劣化具合を測定する場合の動作を示している。
【００４３】
また、図７は、図１および図２の無停電電源装置の動作の図５、図６とは異なる例を第３の動作シーケンスとして示すタイミングチャートであり、正常運転中に停電が発生してバックアップ用の二次電池（バッテリ）すなわち電池１２０からの放電動作に切り替わったが、停電期間がシャットダウン指示時間としてあらかじめ定めた一定時間を越えたために、無停電電源装置に負荷として接続されている電子機器に対して、出力ステータス信号２０１としてシャットダウンを指示するシャットダウン指示信号を出力する場合を示している。
【００４４】
まず、図３に示す状態遷移図について説明する。図３の状態遷移図において、無停電電源装置の電源がＯＦＦの状態にあったときに（ステータスＳＴ０）、電源をＯＮにすると、無停電電源装置を初期設定する初期化状態（ステータスＳＴ１）に移行する。初期化状態（ステータスＳＴ１）においては、各部位の初期化動作を実施するが、初期化が不良であった場合には、初期化状態（ステータスＳＴ１）を継続して、初期設定動作を繰り返す。
【００４５】
しかし、初期化状態（ステータスＳＴ１）において、あらかじめ定めた回数Ｎ回連続して初期化不良が発生した場合には、無停電電源装置の初期化に失敗した旨のステータスを表示する不良ステータス表示状態（ステータスＳＴ１３）に移行して、出力ステータス信号２０１として、初期化失敗を示すステータス信号を出力して、その旨を表示した後、第２のスイッチをオンにして、第２のＤＣ電源電圧１６１を接地電位に落とした状態に設定することにより、無停電電源装置から負荷の電子機器に対する給電動作を強制的に停止する出力停止状態(ステータスＳＴ１４)に移行する。
【００４６】
また、初期化状態（ステータスＳＴ１）において、初期設定を正常に行うことができ、かつ、電池１２０の二次電池（バッテリ）の出力が正常であった場合には、正常の旨を表示し通常の運転状態を行う正常表示通常運転状態（ステータスＳＴ２）に移行して、出力ステータス信号２０１として、正常に初期化が完了した旨を示すステータス信号を出力して、その旨を表示するとともに、無停電電源装置から負荷の電子機器への給電動作を開始する。
【００４７】
ここで、正常表示通常運転状態（ステータスＳＴ２）においては、二次電池（バッテリ）の電池１２０の状態を定期的に検査するためにあらかじめ定めた電池検査周期例えば毎秒１回ないし毎日１回の間のいずれかの周期で、定期的に、電池１２０の二次電池（バッテリ）の劣化状態を検査するバッテリ検査状態（ステータスＳＴ３）に移行している。バッテリ検査状態（ステータスＳＴ３）においては、負荷の電子機器への給電動作をそのまま継続した状態のまま、電池１２０の二次電池（バッテリ）の劣化状態を検査し、電池１２０の二次電池（バッテリ）の状態が正常であれば、正常表示通常運転状態（ステータスＳＴ２）に復帰して、無停電電源装置から負荷の電子機器への給電動作をそのまま継続する、という動作を繰り返す。
【００４８】
一方、バッテリ検査状態（ステータスＳＴ３）において、電池１２０の二次電池（バッテリ）の状態が劣化しているかまたは異常であることを検知した場合には、電池１２０の二次電池（バッテリ）の状態が劣化しているかまたは異常である旨を表示するバッテリ異常表示状態（ステータスＳＴ１０）に移行して、出力ステータス信号２０１として、電池１２０のバッテリ劣化またはバッテリ異常の旨を示すステータス信号を出力して、その旨を表示する。しかる後、電池１２０の二次電池（バッテリ）なしの状態あるいは負荷の電子機器への給電レベルを低減するデグレード運転の状態となるバッテリなしｏｒ低減状態（ステータスＳＴ１１）に移行する。
【００４９】
バッテリなしｏｒ低減状態（ステータスＳＴ１１）において、電池１２０の二次電池（バッテリ）の交換操作が開始されると、入力制御信号２００として、バッテリ交換開始信号が入力され、電池１２０のバッテリ異常表示の消灯と電池１２０の二次電池（バッテリ）の交換中の表示とを行うバッテリ異常消灯、バッテリ交換中表示状態（ステータスＳＴ７）に移行する。バッテリ異常消灯、バッテリ交換中表示状態（ステータスＳＴ７）においては、出力ステータス信号２０１として、電池１２０の二次電池（バッテリ）の異常を示す表示を消灯するとともに、電池１２０の二次電池（バッテリ）の交換中である旨を示すステータス信号を出力して、その旨を表示する。しかる後、再度、バッテリなしｏｒ低減状態（ステータスＳＴ８）に移行する。
【００５０】
バッテリなしｏｒ低減状態（ステータスＳＴ８）において、交換中の電池１２０の二次電池（バッテリ）の交換が終了すると、入力制御信号２００として、バッテリ交換終了信号が入力され、交換した電池１２０の二次電池（バッテリ）の状態を検査するバッテリ検査状態（ステータスＳＴ９）に移行する。バッテリ検査状態（ステータスＳＴ９）において、交換した電池１２０の二次電池（バッテリ）の状態が正常であった場合には、その旨を表示し通常の運転を行う正常表示通常運転状態（ステータスＳＴ２）に復帰する。
【００５１】
しかし、バッテリ検査状態（ステータスＳＴ９）において、交換した電池１２０の二次電池（バッテリ）の状態が、バッテリなしと同じ状態かまたは不良であった場合には、交換した電池１２０の二次電池（バッテリ）の状態が依然として異常である旨を表示するバッテリ異常表示状態（ステータスＳＴ１０）に戻って、再度、電池１２０の二次電池（バッテリ）の交換を促す。
【００５２】
また、正常表示通常運転状態（ステータスＳＴ２）、バッテリ検査状態（ステータスＳＴ３）、または、バッテリ交換中の状態にあるバッテリなしｏｒ低減状態（ステータスＳＴ８）において、第３のアナログ−デジタル変換回路１０５からの第３のデジタル信号１８５の論理レベルが"０"であり、第１のＤＣ電源電圧１６０が出力されていない状態にあることを検知した場合、商用交流電源（ＡＣ電源）１００１の停電として検知される。
【００５３】
商用交流電源（ＡＣ電源）１００１の停電が検知された場合は、第４のスイッチ１１４を、指定したパルス幅でオン／オフ動作を行うことにより、バックアップ用の電池１２０の二次電池（バッテリ）からの給電動作を開始させるバッテリ動作状態（ステータスＳＴ４）に移行する。バッテリ動作状態（ステータスＳＴ４）においては、ＡＣ−ＤＣ変換回路１００３から出力される第１のＤＣ電源電圧１６０の代わりに、電池１２０の二次電池（バッテリ）から出力される電池電圧すなわち第３のＤＣ電源電圧１６２を用いる状態になり、該電池電圧を、指定したパルス幅でオン／オフ動作する第４のスイッチ１１４を介して、鋸歯波状の第２のＤＣ電源電圧１６１として出力し、さらに、インダクタンス１４０とキャパシタ１２１との平滑回路によって平滑化して、出力ＤＣ電源電圧１６３として、負荷の電子機器に対して給電する動作に切り替わる。
【００５４】
また、バッテリ動作状態（ステータスＳＴ４）において、第３のアナログ−デジタル変換回路１０５からの第３のデジタル信号１８５の論理レベルが"０"以外の状態になり、第１のＤＣ電源電圧１６０が出力されている状態に復帰したことを検知すると、商用交流電源（ＡＣ電源）１００１の停電が解消されたものとして検知される。商用交流電源（ＡＣ電源）１００１の停電が解消されると、第４のスイッチ１１４をオフにして、バックアップ用の電池１２０の二次電池（バッテリ）からの出力を遮断して、電池１２０からの負荷の電子機器への給電動作を停止し、ＡＣ−ＤＣ変換回路１００３から出力される第１のＤＣ電源電圧１６０を負荷の電子機器に対して給電する正常な状態に復帰するために、その旨を表示し通常の運転を行う正常表示通常運転状態（ステータスＳＴ２）に復帰する。
【００５５】
一方、バッテリ動作状態（ステータスＳＴ４）において、シャットダウン指示時間としてあらかじめ定めた一定時間経過しても、商用交流電源（ＡＣ電源）１００１の停電が解消されず、第１のＤＣ電源電圧１６０が出力されない状態が継続した場合には、シャットダウン指示状態（ステータスＳＴ５）に移行して、出力ステータス信号２０１として、負荷の電子機器に対してシャットダウン指示信号を出力して、シャットダウンを促す。しかる後においても、商用交流電源（ＡＣ電源）１００１の停電が解消されず、出力停止時間としてあらかじめ定めた一定時間がさらに経過した場合、出力停止状態(ステータスＳＴ６)に移行して、第２のスイッチ１１２をオンにして、第２のＤＣ電源電圧１６１を接地電位に落とすことにより、無停電電源装置から負荷の電子機器に対する給電動作を強制的に停止する。
【００５６】
なお、バッテリなしｏｒ低減状態（ステータスＳＴ１１）において停電通知があった場合、該バッテリなしｏｒ低減状態（ステータスＳＴ１１）においては、バックアップ用の電池１２０の二次電池（バッテリ）の状態はバッテリなしと同じ状態かまたは不良であり、かつ、電池１２０の二次電池（バッテリ）の交換動作も開始していない状態にあるので、たとえ、瞬間的な停電の場合であっても、直ちに、無停電電源装置から負荷の電子機器に対する給電動作を強制的に停止する出力停止状態(ステータスＳＴ１２)に移行する。
【００５７】
次に、図４の状態遷移図において、破線で示す動作１について、図５のタイミングチャートを参照しながら説明する。図５のタイミングチャートは、前述したように、正常運転中に商用交流電源（ＡＣ電源）１００１の停電が発生したために、バックアップ用の二次電池（バッテリ）すなわち電池１２０からの給電動作に一旦は切り替わるが、停電状態の期間が短かったため、再び商用交流電源（ＡＣ電源）１００１からの給電を行う正常動作に復帰する場合の動作を示している。なお、図５のタイミングチャートにおいては、バックアップ用の二次電池（バッテリ）の電池１２０は、劣化していなく、正常な状態にあるものとする。
【００５８】
このような場合には、図４の状態遷移図に示すように、
正常表示通常運転状態（ステータスＳＴ２）
（停電検知）バッテリ動作状態（ステータスＳＴ４）
（停電解消）正常表示通常運転状態（ステータスＳＴ２）
（停電通知）バッテリ動作状態（ステータスＳＴ４）
…
と、ステータスＳＴ２とステータスＳＴ４との２つの状態間をループ状態で遷移する動作を繰り返す。
【００５９】
図５のタイミングチャートに示すように、時刻ｔ５１〜ｔ５２においては、ＡＣ−ＤＣ変換回路１００３からの第１のＤＣ電源電圧１６０は、安定した電圧値を維持しており、該第１のＤＣ電源電圧１６０の電圧値を第３のアナログ−デジタル変換回路１０５によって第３のデジタル信号１８５に変換して入力されたプロセッサ１０１は、第１のＤＣ電源電圧１６０が正常な状態で安定していることを認識する。したがって、プロセッサ１０１から、ドライバ１０２に対しては、第１のスイッチ１１１をあらかじめ定めたパルス幅でオン／オフすることを指示する制御信号１３０が出力される。
【００６０】
その結果、図５に示すように、該制御信号１３０を受け取ったドライバ１０２から、第１のスイッチ１１１に対して、あらかじめ定めたパルス幅でオン／オフする第１の制御信号１７１が出力されて、第１のスイッチ１１１からの第２のＤＣ電源電圧１６１は、一定周期の鋸歯波状の電圧波形として出力される。
【００６１】
鋸歯波状の第２のＤＣ電源電圧１６１は、インダクタンス１４０、キャパシタ１２１からなる平滑回路によって平滑化されて、出力ＤＣ電源電圧１６３は、平坦化した電圧波形として、負荷の電子機器に給電される。
【００６２】
また、二次電池（バッテリ）の電池１２０の状態を定期的に検査するためにあらかじめ定めた電池検査周期（毎秒〜毎日に１回）ごとに、プロセッサ１０１は、二次電池（バッテリ）の電池１２０の劣化状態を検査している。
【００６３】
つまり、図５の時刻ｔ５１〜ｔ５２においては、図１および図２の無停電電源装置は、図４に示す正常表示通常運転状態（ステータスＳＴ２）から、電池検査周期に達する都度、バッテリ検査状態（ステータスＳＴ３）に移行する動作を繰り返している。
【００６４】
このような状態にある図１および図２の無停電電源装置が、図５の時刻ｔ５２において、正常表示通常運転状態（ステータスＳＴ２）にあった際に、ＡＣ−ＤＣ変換回路１００３からの第１のＤＣ電源電圧１６０の電圧値が低下し始めると、第３のアナログ−デジタル変換回路１０５によって第３のデジタル信号１８５に変換して入力されたプロセッサ１０１は、第１のＤＣ電源電圧１６０の電圧値が低下し始めていることを認識する。したがって、プロセッサ１０１は、二次電池給電開始時間Ｔ１としてあらかじめ定めた一定時間経過後に、商用交流電源（ＡＣ電源）が停電するものと看做して、負荷の電子機器に対して給電する電源を、商用交流電源（ＡＣ電源）から二次電池（バッテリ）の電池１２０に切り替えることを決定する。
【００６５】
図５の時刻ｔ５２から二次電池給電開始時間Ｔ１を経過した時刻ｔ５３に達すると、商用交流電源（ＡＣ電源）の停電通知があったものと看做して、プロセッサ１０１は、バッテリ動作状態（ステータスＳＴ４）に移行して、ドライバ１０２に対して、第１のスイッチ１１１のオン／オフ動作を停止させて、第１のスイッチ１１１をオフにする制御信号１３０を出力するとともに、第４のスイッチ１１４を、指定したパルス幅でオン／オフする制御信号１３０を出力する。
【００６６】
その結果、図５に示すように、該制御信号１３０を受け取ったドライバ１０２から、第１のスイッチ１１１に対しては、論理レベル"０"の第１の制御信号１７１が出力されて、第１のスイッチ１１１がオフ状態に設定され、ＡＣ−ＤＣ変換回路１００３から出力される第１のＤＣ電源電圧１６０をスイッチする第１のスイッチ１１１からの出力は遮断された状態になる。一方、第４のスイッチ１１４に対しては、指定したパルス幅でオン／オフする第４の制御信号１７４が出力されて、二次電池（バッテリ）の電池１２０からの電池電圧をスイッチする第４のスイッチ１１４は、指定したパルス幅でオン／オフされ、第１のスイッチ１１１に代わって、第４のスイッチ１１４から出力される第２のＤＣ電源電圧１６１が、一定周期の鋸歯波状の電圧波形として出力される状態に切り替わる。
【００６７】
二次電池（バッテリ）の電池１２０から出力される鋸歯波状の第２のＤＣ電源電圧１６１は、インダクタンス１４０、キャパシタ１２１からなる平滑回路によって平滑化されて、出力ＤＣ電源電圧１６３は、平坦化した電圧波形として、負荷の電子機器に給電される。
【００６８】
つまり、ＡＣ−ＤＣ変換回路１００３からの第１のＤＣ電源電圧１６０の電圧値が低下し始めてから二次電池給電開始時間Ｔ１を経過した図５の時刻ｔ５３において、図１および図２の無停電電源装置は、図４に示す正常表示通常運転状態（ステータスＳＴ２）からバッテリ動作状態（ステータスＳＴ４）に移行して、商用交流電源（ＡＣ電源）１００１に代わって、電池１２０の二次電池（バッテリ）から負荷に対して給電する状態になる。
【００６９】
しかし、商用交流電源（ＡＣ電源）の停止状態の期間が短く、給電動作を開始した二次電池（バッテリ）の電池１２０の残容量が余り低下していない間に、商用交流電源（ＡＣ電源）の停電状態が解消された場合には、例えば、図５の時刻ｔ５４において、商用交流電源（ＡＣ電源）の停電状態が解消して電力供給が再開された場合には、第３のアナログ−デジタル変換回路１０５によって第３のデジタル信号１８５に変換して入力されたプロセッサ１０１は、第１のＤＣ電源電圧１６０の電圧値が正常な電圧値に回復したことを認識する。
【００７０】
したがって、プロセッサ１０１は、ＡＣ電源給電復帰時間Ｔ２としてあらかじめ定めた一定時間経過後には、商用交流電源（ＡＣ電源）が正常な電力供給状態に完全に回復するものと看做して、負荷の電子機器に対して給電する電源を、二次電池（バッテリ）の電池１２０から商用交流電源（ＡＣ電源）に復帰させることを決定する。
【００７１】
つまり、図５の時刻ｔ５４からＡＣ電源給電復帰時間Ｔ２を経過した時刻ｔ５５に達すると、商用交流電源（ＡＣ電源）が正常な電力供給状態に完全に回復したものとして、プロセッサ１０１は、正常表示通常運転状態（ステータスＳＴ２）に復帰して、ドライバ１０２に対して、第４のスイッチ１１４のオン／オフ動作を停止させて、第４のスイッチ１１４をオフにする制御信号１３０を出力するとともに、第１のスイッチ１１１をあらかじめ定めたパルス幅でオン／オフする制御信号１３０を出力する。
【００７２】
その結果、図５に示すように、該制御信号１３０を受け取ったドライバ１０２から、論理レベル"０"の第４の制御信号１７４が出力されて、第４のスイッチ１１４がオフに設定され、二次電池（バッテリ）の電池１２０からの電池電圧をスイッチする第４のスイッチ１１４からの出力は遮断された状態になる。一方、第１のスイッチ１１１に対しては、あらかじめ定めたパルス幅でオン／オフする第１の制御信号１７１が出力されて、ＡＣ−ＤＣ変換回路１００３から出力される第１のＤＣ電源電圧１６０をスイッチする第１のスイッチ１１１は、あらかじめ定めたパルス幅でオン／オフされ、第１のスイッチ１１１から出力される第２のＤＣ電源電圧１６１が、一定周期の鋸歯波状の電圧波形として出力される状態に復帰する。
【００７３】
ＡＣ−ＤＣ変換回路１００３から出力される鋸歯波状の第２のＤＣ電源電圧１６１は、インダクタンス１４０、キャパシタ１２１からなる平滑回路によって平滑化されて、出力ＤＣ電源電圧１６３は、平坦化した電圧波形として、負荷の電子機器に給電される。
【００７４】
つまり、ＡＣ−ＤＣ変換回路１００３からの第１のＤＣ電源電圧１６０の電圧値が回復してからＡＣ電源給電復帰時間Ｔ２を経過した図５の時刻ｔ５５において、図１および図２の無停電電源装置は、図４に示すバッテリ動作状態（ステータスＳＴ４）から正常表示通常運転状態（ステータスＳＴ２）に復帰して、バックアップ用の電池１２０の二次電池（バッテリ）からの負荷への給電動作を停止して、商用交流電源（ＡＣ電源）１００１からの給電動作に復帰する。
【００７５】
かくのごとく、商用交流電源（ＡＣ電源）に停電が発生して、二次電池（バッテリ）の電池１２０からの給電動作に切り替わったとしても、商用交流電源（ＡＣ電源）の停電期間が、電池１２０の残容量が放電終止容量に達する放電終止時間よりもはるかに短く、残容量の低下が僅かであり、かつ、負荷の電子機器のシャットダウンを促すシャットダウン指示時間よりも短い時間であった場合には、正常表示通常運転状態（ステータスＳＴ２）とバッテリ動作状態（ステータスＳＴ４）との状態を繰り返すことになる。
【００７６】
なお、図５のタイミングチャートにおいては、バックアップ用の二次電池（バッテリ）の電池１２０が正常な状態にある場合について示しているが、二次電池（バッテリ）の電池１２０が正常な状態にあるか否かは、前述した電池検査周期ごとに移行するバッテリ検査状態（ステータスＳＴ３）において定期的に検査されている。
【００７７】
次に、図４の状態遷移図において、破線で示す動作３について、図６のタイミングチャートを参照しながら説明する。図６のタイミングチャートは、二次電池（バッテリ）の電池１２０の状態を定期的に検査するためにあらかじめ定めた電池検査周期（毎秒〜毎日に１回）ごとに、プロセッサ１０１が二次電池（バッテリ）の電池１２０の劣化状態を監視し、劣化具合を測定する動作について、図１の無停電電源装置の場合を例にとって関連する部位のＤＣ電源電圧や制御信号の波形を示している。
【００７８】
なお、二次電池（バッテリ）の電池１２０の劣化具合を測定する測定方法としては、図６に示すように、あらかじめ定めた時間間隔ＴＢごとに、第３のスイッチ１１３および第４のスイッチ１１４に対する第３の制御信号１７３および第４の制御信号１７４のパルス幅をあらかじめ定めた正弦波状に徐々に増減させるかまたは出力を停止して論理レベル"０"に設定することによって、第３のスイッチ１１３および第４のスイッチ１１４をオン状態に設定する時間を正弦波状に徐々に増減させるか、または、オフに設定して出力を遮断する動作を行うことにより、二次電池（バッテリ）の電池１２０からの第３のＤＣ電源電圧１６２つまり電池電圧の電圧値が、あらかじめ定めた周期で正弦波状に変化した電圧値として期待する値で出力されているか否かを測定する方法を用いている。
【００７９】
また、ここでは、ＡＣ−ＤＣ変換回路１００３からの第１のＤＣ電源電圧１６０は、安定した電圧値を維持しており、かつ、バックアップ用の二次電池（バッテリ）の電池１２０は、検査結果として、正常な状態であるとの判定結果が得られるものとする。
【００８０】
このような場合には、図４の状態遷移図に示すように、
正常表示通常運転状態（ステータスＳＴ２）
（電池検査周期）バッテリ検査状態（ステータスＳＴ３）
（電池正常）正常表示通常運転状態（ステータスＳＴ２）
（電池検査周期）バッテリ検査状態（ステータスＳＴ３）
…
と、商用交流電源（ＡＣ電源）からの給電動作を行っているステータスＳＴ２から、電池検査周期（毎秒〜毎日に１回）に達する都度、ステータスＳＴ３へ移行して、商用交流電源（ＡＣ電源）１００１からの給電動作を継続しつつ、バックアップ用の二次電池（バッテリ）の電池１２０の状態を検査するという、通常の正常な動作を繰り返す。
【００８１】
ここで、ＡＣ−ＤＣ変換回路１００３からの第１のＤＣ電源電圧１６０は、安定した電圧値を維持しているので、該第１のＤＣ電源電圧１６０の電圧値を第３のアナログ−デジタル変換回路１０５によって第３のデジタル信号１８５に変換して入力されたプロセッサ１０１は、第１のＤＣ電源電圧１６０が正常な状態で安定していることを認識して、ドライバ１０２に対して、第１のスイッチ１１１をあらかじめ定めたパルス幅でオン／オフする制御信号１３０を出力している。
【００８２】
その結果、図６のタイミングチャートにおいても、図５において説明したように、ドライバ１０２から、第１のスイッチ１１１に対して、あらかじめ定めたパルス幅でオン／オフする第１の制御信号１７１が出力されて、第１のスイッチ１１１からの第２のＤＣ電源電圧１６１は、一定周期の鋸歯波状の電圧波形となって出力され、さらに、インダクタンス１４０、キャパシタ１２１からなる平滑回路によって平滑化されて、平坦化した電圧波形の出力ＤＣ電源電圧１６３が負荷の電子機器に給電される。
【００８３】
かかる無停電電源装置の動作が実施されている正常表示通常運転状態（ステータスＳＴ２）において、前記電池検査周期に達すると（つまり、図６のタイミングチャートの時刻ｔ６１に達すると）、図４に示すバッテリ検査状態（ステータスＳＴ３）に移行して、二次電池（バッテリ）の電池１２０の検査を開始し、劣化状態の測定を開始する。
【００８４】
時刻ｔ６１において、二次電池（バッテリ）の電池１２０の検査を開始すると、第３のスイッチ１１３と第４のスイッチ１１４とのオン状態に設定する時間を制御する動作を開始し、以降、次のようなあらかじめ定めた時間間隔ＴＢごとに、オン／オフ動作を行う第３のスイッチ１１３、第４のスイッチ１１４を切り替え、かつ、一方のスイッチをオフにするとともに、オン／オフ動作を行う他方のスイッチについては、指定した周期で正弦波状にオン時間を漸増させるかまたは漸減させる動作に切り替える。
【００８５】
すなわち、時刻ｔ６１から時間間隔ＴＢが経過するごとに、第１時間間隔ＴＢ１から第２時間間隔ＴＢ２、第３時間間隔ＴＢ３、第４時間間隔ＴＢ４、…として、４つに分割したそれぞれの時間間隔において、第３のスイッチ１１３、第４のスイッチ１１４のオン／オフ動作を次のように切り替える。
【００８６】
（１）第１時間間隔ＴＢ１＝時刻ｔ６１〜時刻ｔ６２
第３のスイッチ１１３をあらかじめ定めた周期でオン／オフ動作させ、かつ、指定した周期の正弦波状にオン時間を徐々に減少させるように、第３のスイッチ１１３に対して出力する第３の制御信号１７３のパルス幅（論理レベル"１"となる時間幅）を、指定した幅ずつ正弦波状に徐々に減少させる。一方、第４のスイッチ１１４はオフ状態になるように、第４のスイッチ１１４に対して出力する第４の制御信号１７４は出力することなく、論理レベル"０"のままにする。この結果、図６に示すように、二次電池（バッテリ）の電池１２０からの第３のＤＣ電源電圧１６２すなわち電池電圧の電圧値は、指定した周期の正弦波形における１／４周期目の波形状に徐々に増加していって、最高値に達する。
【００８７】
（２）第２時間間隔ＴＢ２＝時刻ｔ６２〜時刻ｔ６３
第４のスイッチ１１４をあらかじめ定めた周期でオン／オフ動作させ、かつ、指定した周期の正弦波状にオン時間を徐々に増加させるように、第４のスイッチ１１４に対して出力する第４の制御信号１７４のパルス幅（論理レベル"１"となる時間幅）を、指定した幅ずつ正弦波状に徐々に増加させる。一方、第３のスイッチ１１３はオフ状態になるように、第３のスイッチ１１３に対して出力する第３の制御信号１７３の出力を停止し、論理レベル"０"のままにする。この結果、図６に示すように、二次電池（バッテリ）の電池１２０からのＤＣ電源電圧１６２すなわち電池電圧の電圧値は、最高値から、指定した周期の正弦波形における２／４周期目の波形状に徐々に減少していく。
【００８８】
（３）第３時間間隔ＴＢ３＝時刻ｔ６３〜時刻ｔ６４
第４のスイッチ１１４をあらかじめ定めた周期でオン／オフ動作させ、かつ、第２時間間隔ＴＢとは異なり、指定した周期の正弦波状にオン時間を徐々に減少させるように、第４のスイッチ１１４に対して出力する第４の制御信号１７４のパルス幅（論理レベル"１"となる時間幅）を、指定した幅ずつ正弦波状に徐々に減少させる。一方、第３のスイッチ１１３はオフ状態を継続するように、第３のスイッチ１１３に対して出力する第３の制御信号１７３の出力を停止し、論理レベル"０"のままにする。この結果、図６に示すように、二次電池（バッテリ）の電池１２０からの第３のＤＣ電源電圧１６２すなわち電池電圧の電圧値は、さらに、指定した周期の正弦波形における３／４周期目の波形状に徐々に減少していって、最低値に達する。
【００８９】
（４）第４時間間隔ＴＢ４＝時刻ｔ６４〜時刻ｔ６５
第３のスイッチ１１３をあらかじめ定めた周期でオン／オフ動作させ、かつ、指定した周期の正弦波状にオン時間を徐々に増加させるように、第３のスイッチ１１３に対して出力する第３の制御信号１７３のパルス幅（論理レベル"１"となる時間幅）を、指定した幅ずつ正弦波状に徐々に増加させる。一方、第４のスイッチ１１４はオフ状態になるように、第４のスイッチ１１４に対して出力する第４の制御信号１７４の出力を停止し、論理レベル"０"のままにする。この結果、図６に示すように、二次電池（バッテリ）の電池１２０からの第３のＤＣ電源電圧１６２すなわち電池電圧の電圧値は、最低値から、指定した周期の正弦波形における４／４周期目の波形状に徐々に増加していって、第１時間間隔ＴＢ１の開始時点の電圧値に戻る。
【００９０】
図１の無停電電源装置のバッテリ検査状態(ステータスＳＴ３)においては、以上のように、あらかじめ定めた時間間隔ＴＢごとに、オン／オフ動作を行う第３のスイッチ１１３、第４のスイッチ１１４を切り替え、かつ、オン／オフ動作を行うスイッチのオン時間について、正弦波状の漸増または漸減を行うことによって、二次電池（バッテリ）の電池１２０の状態が正常であった場合には、二次電池（バッテリ）の電池１２０からの第３のＤＣ電源電圧１６２すなわち電池電圧の電圧波形を、あらかじめ定めた周期（つまり、時間間隔ＴＢの４倍の周期）で正弦波状に変化させることができる。
【００９１】
つまり、電池検査周期に達する都度、プロセッサ１０１は、第３のスイッチ１１３、第４のスイッチ１１４に対する第３の制御信号１７３、第４の制御信号１７４のパルス幅の増減や信号出力の停止をあらかじめ定めた時間間隔ＴＢごとにドライバ１０２への制御信号１３０を用いて制御している。そして、プロセッサ１０１は、その制御結果として、電池１２０の充放電動作において、パルス幅に比例して、電池１２０に流れ込む電流量と流れ出る電流量とを正弦波状に変化させることにより、（出力される電池電圧／電流量）によって与えられる電池１２０の内部抵抗すなわち電池１２０の劣化状態を測定することができるように、電池１２０からの第３のＤＣ電源電圧１６２すなわち電池電圧の電圧値を読み取る動作を行っている。
【００９２】
したがって、電池１２０からの第３のＤＣ電源電圧１６２すなわち電池電圧の電圧値の読み取り動作として、第２のアナログ−デジタル変換回路１０４によって第２のデジタル信号１８４に変換して第３のＤＣ電源電圧１６２すなわち電池電圧の電圧値が入力されてくるプロセッサ１０１は、あらかじめ定めた周期（時間間隔ＴＢ×４の周期）で正弦波状に変化して、あらかじめ定めた電圧値が得られているか否かを判別することによって、二次電池（バッテリ）の電池１２０が正常な状態にあるか否かを判定することができる。
【００９３】
なお、第４のスイッチ１１４をオン／オフ動作させる第２時間間隔（時刻ｔ６２〜時刻ｔ６３）および第３時間間隔（時刻ｔ６３〜時刻ｔ６４）においては、第１のスイッチ１１１と第４のスイッチ１１４との双方の出力ラインが互いに接続されている電源ライン上の第２のＤＣ電源電圧１６１は、ＡＣ−ＤＣ変換回路１００３からの出力である第１のＤＣ電源電圧１６０がオン／オフ動作を行う第１のスイッチ１１１を介して出力されてくる場合と、バッテリ検査中の電池１２０からの出力である第３のＤＣ電源電圧１６２がオン／オフ動作を行う第４のスイッチ１１４を介して出力されてくる場合と、の双方が混在することになる。
【００９４】
したがって、バッテリ検査状態（ステータスＳＴ３）においては、二次電池（バッテリ）の電池１２０の検査を行うために消費される電力も、負荷の電子機器へ供給する電力として有効に利用することができる。しかし、第１のスイッチ１１１からの電力と第４のスイッチ１１４からの電力との両者の電力供給ルートに支障が生じないように、図６に示すように、第１のスイッチ１１１をオン状態に設定する第１の制御信号１７１の論理レベルが"１"になる期間に、第４のスイッチ１１４をオン状態に設定する第４の制御信号１７４の論理レベルが"１"になる期間が時間的に重ならないように、第４の制御信号１７４の位相を制御することにしている。
【００９５】
また、第４のスイッチ１１４をオン／オフ動作させる第２時間間隔（時刻ｔ６２〜時刻ｔ６３）および第３時間間隔（時刻ｔ６３〜時刻ｔ６４）においては、前述のように、ＡＣ−ＤＣ変換回路１００３から第１のスイッチ１１１を介した電源ライン上の第２のＤＣ電源電圧１６１を平滑化して負荷に給電中の状態にある一方、バッテリ検査中の電池１２０からの出力である第３のＤＣ電源電圧１６２も、第４のスイッチ１１４を経由した後、平滑化して負荷に給電することになる。
【００９６】
このため、バッテリ検査中の電池１２０からの出力である第３のＤＣ電源電圧１６２の影響を考慮して、第１のスイッチ１１１に対する第１の制御信号１７１のパルス数を間引いたり、あるいは、第１の制御信号１７１のパルス幅を細くしたりすることによって、第１のスイッチ１１１を介して出力される第２のＤＣ電源電圧１６１の電圧値を制御して、最終段の出力ＤＣ電源電圧１６３の電圧値が、通常の正常な状態の場合と同様の、期待電圧値の上限、下限の範囲内に収まるように制御するようにしている。
【００９７】
かくのごとく、無停電電源装置が運用中のバッテリ検査状態（ステータスＳＴ３）においては、電池１２０の劣化測定を行うために消費される電力を、負荷に対する給電用の電力としても流用することができるので、無停電電源装置の電力をリサイクル利用して有効に活用することが可能である。また、運用中に電池１２０の劣化測定を行うための専用の回路を追加する必要はなく、既存のスイッチング電源装置に第３のスイッチ１１３、第４のスイッチ１１４、第２のアナログ−デジタル変換回路１０４等の最小限の回路を追加するだけで、電池１２０の劣化測定を行うことが可能であり、コストの上昇を最低限に抑えることができる。
【００９８】
なお、図６には、電池１２０からの出力電源ライン上の第３のＤＣ電源電圧１６２が、正弦波状に変化する１周期（時間間隔ＴＢ×４の周期）分の測定結果によって、二次電池（バッテリ）の電池１２０が正常な状態にあるか否かを判定している例を示しているが、かかる場合に限るものではなく、複数周期に亘って測定した結果を用いて判定するようにしても良い。
【００９９】
また、図６においては、電池１２０が単一の二次電池（バッテリ）から構成されている図１の無停電電源装置の場合を例にとって説明したが、電池１２０が直列接続した複数の二次電池セルすなわち電池セル３００，…，３０３から構成された図２の無停電電源装置の場合についても、略同様である。
【０１００】
すなわち、図２の無停電電源装置の場合には、電池セル３００，…，３０３のプラス端子側の電池電圧３４０，…，３４３のいずれかをセレクタ３１０によって第２のアナログ−デジタル変換回路１０４に引き込む状態に設定して、第３のスイッチ１１３、第４のスイッチ１１４に対する第３の制御信号１７３、第４の制御信号１７４のパルス幅の増減や信号出力の停止をあらかじめ定めた時間間隔ＴＢごとにドライバ１０２への制御信号１３０を用いて制御しながら、第２のアナログ−デジタル変換回路１０４によって変換した第２のデジタル信号１８４をプロセッサ１０１に読み込むという動作を、第２のアナログ−デジタル変換回路１０４に引き込む電池セル３００，…，３０３をセレクタ３１０によって順次切り替えていくようにすれば、各電池セル３００，…，３０３が正常な状態にあるか否かを判定することができる。
【０１０１】
なお、バッテリ検査状態（ステータスＳＴ３）における二次電池（バッテリ）の電池１２０の検査が終了した際に、二次電池（バッテリ）の電池１２０が満充電状態になっていない場合には、プロセッサ１０１は、ドライバ１０２に対して、第３のスイッチ１１３をあらかじめ定めたパルス幅でオン／オフする制御信号１３０を出力して、ＡＣ−ＤＣ変換回路１００３からの第１のＤＣ電源電圧１６０によって電池１２０の充電動作を行わせるように制御し、一方、二次電池（バッテリ）の電池１２０が満充電状態になっている場合には、ドライバ１０２に対して、第３のスイッチ１１３をオフする制御信号１３０を出力して、電池１２０の充電動作を停止するように制御している。
【０１０２】
次に、図４の状態遷移図の動作２について、図７のタイミングチャートを参照しながら説明する。図７のタイミングチャートは、通常の正常な運転状態の正常表示通常運転状態（ステータスＳＴ２）においてあらかじめ定めた時間を超える長時間に及ぶ停電が発生した場合の動作について、図１の無停電電源装置の場合を例にとって関連する部位のＤＣ電源電圧や制御信号の波形を示している。
【０１０３】
ここで、商用交流電源（ＡＣ電源）の停電が発生した場合、図５にタイミングチャートにおいても説明したが、正常表示通常運転状態（ステータスＳＴ２）からバッテリ動作状態（ステータスＳＴ４）に移行して、商用交流電源（ＡＣ電源）の代わりに、バックアップ用の二次電池（バッテリ）の電池１２０から負荷の電子機器に対して給電する動作に切り替わる。しかし、商用交流電源（ＡＣ電源）の停電が長時間に及ぶ場合、たとえ、切り替わった二次電池（バッテリ）の電池１２０が満充電の状態になっていたとしても、電池１２０の残容量が放電終止容量に達する放電終止時間よりも長い時間に亘って、商用交流電源（ＡＣ電源）の停電状態が継続する恐れがある。
【０１０４】
したがって、かかる場合には、バックアップ用の二次電池（バッテリ）の電池１２０からの負荷の電子機器に対する給電動作も、前記放電終止時間に達した時点で停止せざるを得なくなってしまうので、放電終止時間に達する前に、負荷の電子機器に対してシャットダウンを促すシャットダウン指示信号を送信するようにしている。
【０１０５】
つまり、図４の状態遷移図に示すように、
正常表示通常運転状態（ステータスＳＴ２）
（停電検知）バッテリ動作状態（ステータスＳＴ４）
（シャットダウン指示時間経過）シャットダウン指示状態（ステータスＳＴ５）
（出力停止時間経過）出力停止状態（ステータスＳＴ６）
の順に遷移し、まず、二次電池（バッテリ）の電池１２０からの給電動作を開始してから、シャットダウン指示時間として定めた一定時間が経過した時点で、負荷の電子機器に対してシャットダウン指示信号を送信する。さらに、しかる後、出力停止時間として定めた一定時間経過しても、商用交流電源（ＡＣ電源）１００１の停電状態が解消しない場合には、給電動作開始時に満充電状態であったとしても、二次電池（バッテリ）の電池１２０の残容量が放電終止容量に達する時点に極めて近づいているものと看做して、最終的に、負荷の電子機器に対する給電動作を強制的に停止する。
【０１０６】
図７のタイミングチャートに示すように、時刻ｔ７１〜ｔ７２においては、図５の時刻ｔ５１〜ｔ５２の場合と同様であり、ＡＣ−ＤＣ変換回路１００３からの第１のＤＣ電源電圧１６０は、安定した電圧値を維持しており、該第１のＤＣ電源電圧１６０の電圧値を第３のアナログ−デジタル変換回路１０５によって第３のデジタル信号１８５に変換して入力されたプロセッサ１０１は、第１のＤＣ電源電圧１６０が正常な状態で安定していることを認識する。したがって、プロセッサ１０１から、ドライバ１０２に対して、第１のスイッチ１１１をあらかじめ定めパルス幅でオン／オフすることを指示する制御信号１３０が出力される。
【０１０７】
その結果、図７に示すように、該制御信号１３０を受け取ったドライバ１０２から、第１のスイッチ１１１に対して、あらかじめ定めたパルス幅でオン／オフする第１の制御信号１７１が出力されて、第１のスイッチ１１１から出力される第２のＤＣ電源電圧１６１は、一定周期の鋸歯波状の電圧波形として出力される。
【０１０８】
鋸歯波状の第２のＤＣ電源電圧１６１は、インダクタンス１４０、キャパシタ１２１からなる平滑回路によって平滑化されて、出力ＤＣ電源電圧１６３は、平坦化した電圧波形として、負荷の電子機器に給電される。
【０１０９】
このような正常表示通常運転状態（ステータスＳＴ２）にある図１および図２の無停電電源装置が、図７の時刻ｔ７２において、ＡＣ−ＤＣ変換回路１００３からの第１のＤＣ電源電圧１６０の電圧値が低下し始めると、図５の時刻ｔ５２における動作と同様、第３のアナログ−デジタル変換回路１０５によって第３のデジタル信号１８５に変換して入力されたプロセッサ１０１は、第１のＤＣ電源電圧１６０の電圧値が低下し始めていることを認識する。したがって、プロセッサ１０１は、二次電池給電開始時間Ｔ１としてあらかじめ定めた一定時間経過後に、商用交流電源（ＡＣ電源）が停電するものと看做して、負荷の電子機器に対して給電する電源を、商用交流電源（ＡＣ電源）から二次電池（バッテリ）の電池１２０に切り替えることを決定する。
【０１１０】
図７の時刻ｔ７２から二次電池給電開始時間Ｔ１を経過した時刻ｔ７３に達すると、図５の時刻ｔ５３の場合と同様、商用交流電源（ＡＣ電源）の停電通知があったものと看做して、プロセッサ１０１は、バッテリ動作状態（ステータスＳＴ４）に移行して、ドライバ１０２に対して、第１のスイッチ１１１のオン／オフ動作を停止させて、第１のスイッチ１１１をオフにする制御信号１３０を出力するとともに、第４のスイッチ１１４を、指定したパルス幅でオン／オフする制御信号１３０を出力する。
【０１１１】
その結果、図７に示すように、図５の時刻ｔ５３における動作と同様、該制御信号１３０を受け取ったドライバ１０２から、論理レベル"０"の第１の制御信号１７１が出力されて、第１のスイッチ１１１がオフに設定され、ＡＣ−ＤＣ変換回路１００３から出力される第１のＤＣ電源電圧１６０をスイッチする第１のスイッチ１１１からの出力は遮断された状態になる。一方、第４のスイッチ１１４に対しては、指定したパルス幅でオン／オフする第４の制御信号１７４が出力されて、二次電池（バッテリ）の電池１２０からの電池電圧をスイッチする第４のスイッチ１１４は、指定したパルス幅でオン／オフされ、第１のスイッチ１１１に代わって、第４のスイッチ１１４から出力される第２のＤＣ電源電圧１６１が、一定周期の鋸歯波状の電圧波形として出力される状態に切り替わる。
【０１１２】
二次電池（バッテリ）の電池１２０から出力される鋸歯波状の第２のＤＣ電源電圧１６１は、インダクタンス１４０、キャパシタ１２１からなる平滑回路によって平滑化されて、出力ＤＣ電源電圧１６３は、平坦化した電圧波形として、負荷の電子機器に給電される。
【０１１３】
つまり、ＡＣ−ＤＣ変換回路１００３からの第１のＤＣ電源電圧１６０の電圧値が低下し始めてから二次電池給電開始時間Ｔ１を経過した図７の時刻ｔ７３において、図１および図２の無停電電源装置は、図４に示す正常表示通常運転状態（ステータスＳＴ２）からバッテリ動作状態（ステータスＳＴ４）に移行して、商用交流電源（ＡＣ電源）１００１に代わって、電池１２０の二次電池（バッテリ）から負荷の電子機器に対して給電する状態になる。
【０１１４】
図７のタイミングチャートの場合は、商用交流電源（ＡＣ電源）の停止状態の期間が短い図５のタイミングチャートとは異なり、長時間に及ぶ停電が発生している場合であり、給電動作を開始した二次電池（バッテリ）の電池１２０の残容量が放電終止容量に達すると想定される時点でも、まだ、商用交流電源（ＡＣ電源）の停電状態が継続している恐れがある。
【０１１５】
したがって、正常表示通常運転状態（ステータスＳＴ２）からバッテリ動作状態（ステータスＳＴ４）に移行してから、満充電状態であった二次電池（バッテリ）の電池１２０の残容量が放電終止容量に達すると想定される放電終止時間までは経過していない時間であって、シャットダウン指示時間ＴＳとしてあらかじめ定めた一定時間が経過して、図７に示す時刻ｔ７４に達した時点で、バッテリ動作状態（ステータスＳＴ４）からさらにシャットダウン指示状態（ステータスＳＴ５）に移行する。シャットダウン指示状態（ステータスＳＴ５）に移行すると、プロセッサ１０１は、図７に示すように、二次電池（バッテリ）の電池１２０から負荷の電子機器に対する給電動作を継続した状態のまま、出力ステータス信号２０１として論理レベル"１"が継続するシャットダウン指示信号を負荷の電子機器に対して出力して、当該無停電電源装置に接続している負荷の電子機器にシャットダウンを促す。
【０１１６】
しかる後においても、商用交流電源（ＡＣ電源）１００１の停電状態が継続して、シャットダウン指示状態（ステータスＳＴ５）に移行してから、出力停止時間としてあらかじめ定めた一定時間が経過すると、負荷の電子機器に対する給電動作を継続している二次電池（バッテリ）の電池１２０は、給電動作開始時に満充電状態にあったとしても、二次電池（バッテリ）の電池１２０の残容量が放電動作を終了する放電終止容量の近傍まで低下しているものと看做す。
【０１１７】
したがって、前記出力停止時間に達すると、シャットダウン指示状態（ステータスＳＴ５）から出力停止状態（ステータスＳＴ６）に移行して、プロセッサ１０１は、ドライバ１０２に対して、第４のスイッチ１１４をオフにする制御信号１３０、および、第２のスイッチ１１２をオンにする制御信号１３０を出力して、二次電池（バッテリ）の電池１２０からの出力を遮断するとともに、第２のＤＣ電源電圧１６１を第２のグランド１９８の接地電位に落として、二次電池（バッテリ）の電池１２０から負荷に対する給電動作を強制的に停止する。
【０１１８】
なお、シャットダウン指示状態（ステータスＳＴ５）から出力停止状態（ステータスＳＴ６）に移行するための遷移条件として、前述のようなあらかじめ定めた一定時間の出力停止時間を用いる代わりに、二次電池（バッテリ）の電池１２０の残容量が放電終止容量に達しているか否かを判定するようにして、放電終止容量に達していた場合に、出力停止状態（ステータスＳＴ６）に移行するようにしても良い。
【０１１９】
以上、図１、図２に示す無停電電源装置の構成例について説明したが、本発明は、かかる構成のみに限定されるものではなく、本発明のスコープ内であれば、種々の変形例を適用することができる。
【０１２０】
例えば、図２に示す無停電電源装置においては、二次電池（バッテリ）の電池１２０として複数の電源セル３００，…，３０３を直列に接続した組電池の場合について説明したが、さらなる変形例として、
（１）直列接続したＮ個の電池セルからなる組電池を、さらに、Ｍ個並列に接続して、（Ｎ×Ｍ）個の電池セルからなる構成としても良いし（ただし、Ｍ，Ｎ：正整数）、
（２）また、並列接続したＭ個の電池セルからなる組電池を、さらに、Ｎ個直列に接続して、（Ｍ×Ｎ）個の電池セルからなる構成としても良い（ただし、Ｍ，Ｎ：正整数）。
【０１２１】
あるいは、図１、図２に示す無停電電源装置においては、プロセッサ１０１とドライバ１０２とを分離して構成しているが、プロセッサとドライバとを一体化して同一モジュールまたは同一ＩＣ（Integrated  Circuit）によって構成するようにしても良い。
【０１２２】
あるいは、図１、図２に示す無停電電源装置においては、１個のプロセッサ１０１のみで、すべての制御を行っている構成例を示しているが、複数のプロセッサに分割して負荷や機能を分担するように構成しても良い。さらに、複数のプロセッサによって構成する場合、それぞれのプロセッサが並列動作を行うようにしても良いし、マスター／スレーブ動作を行うようにしても良い。
【０１２３】
また、図１、図２に示す無停電電源装置においては、第１、第２、第３、第４のスイッチ１１１，１１２，１１３，１１４として、一般的な電界効果トランジスタ（ＦＥＴ：Field  Effect  Transistor）を用いている場合を示しているが、かかる場合に限るものではなく、バイポーラトランジスタ、ＨＥＭＴ（High  Electron  Mobility  Transistor）等をも含む各種の半導体スイッチを用いるようにしても良いし、あるいは、機械的な可動部を有するＭＥＭＳ（Micro  Electro-Mechanical  Systems）スイッチを用いるようにしても良い。
【０１２４】
（実施形態の効果の説明）
以上に詳細に説明したように、本発明の実施形態によれば以下のような効果が得られる。
【０１２５】
すなわち、経年劣化する二次電池の特性を測定するために消費される電力を再利用して、負荷側の電子機器に供給することを可能にすることによって、変換効率が高い無停電電源装置及び制御方法を実現することができる。
【０１２６】
また、図８に示した一般的な技術のようなセレクタ１００７を省略し、ＤＣ−ＤＣ変換回路で使われるスイッチ、充電制御で使われるスイッチを共有化することによって、部品点数が削減され、体積当たりの電力変換量が高い無停電電源装置及び制御方法を実現することができる。
【０１２７】
さらに説明すれば、二次電池（バッテリ）の電池１２０の劣化測定に使う電力を再利用することができるので、本発明の第１の目的を実現し、運転効率が高い無停電電源装置及び制御方法を実現することができる。
【０１２８】
また、二次電池の充電、劣化測定、ＤＣ−ＤＣ変換動作に必要となるスイッチ、アナログ−デジタル変換回路(ＡＤＣ)の回路規模を最少化し、コストおよび体積効率に優れる無停電電源装置及び制御方法を実現することができる。
【０１２９】
さらには、二次電池（バッテリ）の電池１２０を複数の電池セル３００，…，３０３等からなる組電池を用いて実現する場合に、各電池セル間の特性に差があっても運転を継続したり、特性の悪い電池セルを特定して交換を促したりすることが可能な無停電電源装置及び制御方法を実現することができる。
【０１３０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【０１３１】
また、本発明は以下の各付記に記載する構成とすることができる。
（付記１）
交流電源を入力して直流電源電圧に変換して第１のＤＣ電源電圧として出力するＡＣ−ＤＣ変換回路と、
前記ＡＣ−ＤＣ変換回路から出力される前記第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する第１のスイッチと、
前記第２のＤＣ電源電圧を、平滑化して、出力ＤＣ電源電圧として、負荷側に給電するインダクタンスとキャパシタとからなる平滑回路と、
前記第２のＤＣ電源電圧を、ドライバからの第２の制御信号に基づいて、オンにして、接地電位に落とし、前記平滑回路への出力を停止するか、または、オフにして、前記平滑回路へ出力する第２のスイッチと、
前記ＡＣ−ＤＣ変換回路から出力される前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する第３のスイッチと、
前記第３のスイッチの出力側とグランドとの間に接続した二次電池から出力される電池電圧を、前記ドライバからの第４の制御信号に基づいて、指定されたパルス幅でオン／オフ動作を行い、前記ＡＣ−ＤＣ変換回路から出力される前記第１のＤＣ電源電圧の代わりにまたは該第１のＤＣ電源電圧とともに、前記第１のスイッチの出力側に前記第２の電源電圧として出力するか、または、オフにして、出力を遮断する第４のスイッチと、
前記出力ＤＣ電源電圧の電圧値を第１のデジタル信号に変換する第１のアナログ−デジタル変換回路と、
前記電池電圧の電圧値を第２のデジタル信号に変換する第２のアナログ−デジタル変換回路と、
前記第１のＤＣ電源電圧の電圧値を第３のデジタル信号に変換する第３のアナログ−デジタル変換回路と、
前記第１ないし第３のアナログ−デジタル変換回路から出力されてくる前記第１ないし第３のデジタル信号および外部から入力される入力制御信号に基づいて、前記ドライバに対する制御信号を生成して、前記ドライバに対して出力することによって、前記ドライバから前記第１ないし第４のスイッチに対して前記第１ないし第４の制御信号を出力させるプロセッサと、
を少なくとも備えていることを特徴とする無停電電源装置。
【０１３２】
（付記２)
前記二次電池が、Ｎ個（Ｎ：正整数）の電池セルを直列接続した組電池をＭ組（Ｍ：正整数）並列接続するか、または、Ｍ個の電池セルを並列接続した組電池をＮ組直列接続して構成していることを特徴とする（付記１）に記載の無停電電源装置。
【０１３３】
（付記３）
前記プロセッサからの選択用制御信号に基づいて、各前記電池セルの出力側それぞれに接続された電源ラインのいずれかを選択して前記第２のアナログ−デジタル変換回路に接続するセレクタを備え、
前記プロセッサは、前記選択用制御信号を生成して前記セレクタに対して出力することを特徴とする（付記２）に記載の無停電電源装置。
【０１３４】
（付記４）
前記第１ないし第４のスイッチが、半導体スイッチからなっていることを特徴とする（付記１ないし３）のいずれかに記載の無停電電源装置。
【０１３５】
（付記５）
電池検査周期としてあらかじめ定めた一定周期ごとに、前記プロセッサは、二次電池検査状態に移行して、前記第１のスイッチから出力される前記第１の電源電圧による前記負荷側への給電動作を継続しつつ、前記二次電池の劣化状態を検査する動作を定期的に行うことを特徴とする（付記１ないし４）のいずれかに記載の無停電電源装置。
【０１３６】
（付記６）
前記二次電池検査状態において、あらかじめ定めた時間間隔ごとに、前記プロセッサは、前記第３の制御信号または第４の制御信号のパルス幅をあらかじめ定めた正弦波状に徐々に増減させるかあるいは出力を停止させて、前記第３のスイッチまたは前記第４のスイッチのオン時間を該正弦波状に徐々に増減させるか、あるいは、前記第３のスイッチまたは前記第４のスイッチをオフに設定した状態に制御して、前記第２のアナログ−デジタル変換回路から出力されてくる前記第２のデジタル信号を読み取ることにより、前記二次電池または該二次電池を構成する組電池の各電池セルから出力される前記電池電圧の電圧値が、あらかじめ定めた周期において正弦波状に変化した電圧値であるか否かを測定することを特徴とする（付記５）に記載の無停電電源装置。
【０１３７】
（付記７）
あらかじめ定めた前記時間間隔として、あらかじめ定めた前記周期を第１ないし第４の時間間隔の４つに分割し、前記第１の時間間隔においては、前記第３のスイッチに対する前記第３の制御信号のパルス幅を正弦波状に徐々に減少させる一方、前記第４のスイッチに対する前記第４の制御信号の出力を論理レベル"０"に設定し、また、前記第２の時間間隔においては、前記第４のスイッチに対する前記第４の制御信号のパルス幅を正弦波状に徐々に増加させる一方、前記第３のスイッチに対する前記第３の制御信号の出力を論理レベル"０"に設定し、また、前記第３の時間間隔においては、前記第４のスイッチに対する前記第４の制御信号のパルス幅を正弦波状に徐々に減少させる一方、前記第３のスイッチに対する前記第３の制御信号の出力を論理レベル"０"に設定し、また、前記第４の時間間隔においては、前記第３のスイッチに対する前記第３の制御信号のパルス幅を正弦波状に徐々に増加させる一方、前記第４のスイッチに対する前記第４の制御信号の出力を論理レベル"０"に設定することを特徴とする（付記６）に記載の無停電電源装置。
【０１３８】
（付記８）
前記二次電池検査状態において、前記ドライバは、前記プロセッサからの制御信号に基づいて、前記第１のスイッチのオン時間と前記第４のスイッチのオン時間とが互いに重ならないように、前記第４のスイッチに対する前記第４の制御信号のパルス位相を設定することを特徴とする（付記６または７）に記載の無停電電源装置。
【０１３９】
（付記９）
前記二次電池検査状態において、前記ドライバは、前記プロセッサからの制御信号に基づいて、前記第４のスイッチに対する前記第４の制御信号のパルス幅の変化に対応付けて、前記第１のスイッチに対する前記第１の制御信号のパルス数を間引くか、あるいは、パルス幅を狭くすることを特徴とする（付記６ないし８）のいずれかに記載の無停電電源装置。
【０１４０】
（付記１０）
前記プロセッサは、前記交流電源の停電を検知して、前記交流電源に代わって前記二次電池から前記負荷に対する給電動作に切り替えた時点から、シャットダウン指示時間としてあらかじめ定めた一定時間経過しても、前記交流電源の停電が解消しない場合、前記負荷に対してシャットダウン指示信号を送信して、前記負荷のシャットダウンを促すことを特徴とする（付記１ないし９）のいずれかに記載の無停電電源装置。
【０１４１】
（付記１１）
第１のスイッチが、第１のＤＣ電源電圧を、ドライバからの第１の制御信号に基づいて、あらかじめ定めたパルス幅でオン／オフ動作を行い、鋸歯波状の第２のＤＣ電源電圧として出力するか、または、オフにして、出力を遮断する工程と、
第２のスイッチが、前記ドライバからの第２の制御信号に基づいて、前記第２のＤＣ電源電圧を、接地電位に落とすか、または平滑化して、出力ＤＣ電源電圧として、負荷側に給電する工程と、
第３のスイッチが、前記第１のＤＣ電源電圧を、前記ドライバからの第３の制御信号に基づいて、指定されたパルス幅でオン／オフ動作を行い、鋸歯波状の第３のＤＣ電源電圧として出力するか、または、オフにして、出力を遮断する工程と、
第４のスイッチが、二次電池から出力される電池電圧を、前記ドライバからの第４の制御信号に基づいて、指定されたパルス幅でオン／オフ動作を行い、前記第１のＤＣ電源電圧の代わりにまたは該第１のＤＣ電源電圧とともに、前記第１のスイッチの出力側に前記第２の電源電圧として出力するか、または、オフにして、出力を遮断する工程と、
を少なくとも備えていることを特徴とする無停電電源装置の制御方法。
【０１４２】
上述の付記は、かかる問題を解決するためになされたものであり、商用交流電源の停電判定と二次電池の劣化検出・充電制御とを統合した回路構成とすることにより、二次電池の劣化検出のために消費される電力を再利用し、電源装置の変換効率を向上させることが可能な無停電電源装置及び制御方法を提供することを第１の目的とする。
【０１４３】
また、図８の無停止型電源装置に存在しているセレクタ１００７を省略して、ＤＣ−ＤＣ変換回路１００８内で使われるスイッチ、劣化検出・充電制御回路１００５内で使われるスイッチを共有化することによって、部品点数の削減、体積当たりの電力変換量を向上することが可能な無停電電源装置及び制御方法を提供することを第２の目的とする。
【０１４４】
上述の付記によれば、以下のような効果を奏することができる。
【０１４５】
すなわち、経年劣化する二次電池の特性を測定するために消費される電力を再利用して、負荷側に供給することを可能にすることによって、変換効率が高い無停電電源装置及び制御方法を実現することができる。
【０１４６】
また、図８に示した技術のようなセレクタを省略し、ＤＣ−ＤＣ変換回路で使われるスイッチ、充電制御で使われるスイッチを共有化することによって、部品点数が削減され、体積当たりの電力変換量が高い無停電電源装置及び制御方法を実現することができる。
【０１４７】
二次電池の充電、劣化測定、ＤＣ−ＤＣ変換動作に必要となるスイッチ、アナログ−デジタル変換回路の回路規模を最少化し、コストおよび体積効率に優れる無停電電源装置及び制御方法を実現することができる。
【０１４８】
また、二次電池の劣化測定に使う電力を再利用することができるので、運転効率が高い無停電電源装置及び制御方法を実現することができる。
【０１４９】
さらには、二次電池を複数の電池セルからなる組電池を用いて実現する場合に、各電池セル間の特性に差があっても運転を継続したり、特性の悪い電池セルを特定して交換を促したりすることが可能な無停電電源装置及び制御方法を実現することができる。
【０１５０】
この出願は、２０１１年４月２６日に出願された日本出願特願２０１１−９７９３４を基礎とする優先権を主張し、その開示の全てをここに取り込む。
【産業上の利用可能性】
【０１５１】
本発明は、二次電池を備えることによって、一時的な停電が発生しても電源供給を継続することができる無停電電源装置に適用することができる。
【符号の説明】
【０１５２】
１０１      プロセッサ
１０２      ドライバ
１０３      第１のアナログ−デジタル変換回路
１０４      第２のアナログ−デジタル変換回路
１０５      第３のアナログ−デジタル変換回路
１１１      第１のスイッチ
１１２      第２のスイッチ
１１３      第３のスイッチ
１１４      第４のスイッチ
１２０      電池
１２１      キャパシタ
１３０      制御信号
１４０      インダクタンス
１６０      第１のＤＣ電源電圧
１６１      第２のＤＣ電源電圧
１６２      第３のＤＣ電源電圧
１６３      出力ＤＣ電源電圧
１７１      第１の制御信号
１７２      第２の制御信号
１７３      第３の制御信号
１７４      第４の制御信号
１８３      第１のデジタル信号
１８４      第２のデジタル信号
１８５      第３のデジタル信号
１９７      第１のグランド
１９８      第２のグランド
１９９      第３のグランド
２００      入力制御信号
２０１      出力ステータス信号
３００，３０１，３０２，３０３  電池セル（二次電池セル）
３１０      セレクタ
３２０      選択用制御信号
３３０      出力電池電圧
３４０，３４１，３４２，３４３  電池電圧
１００１    商用交流電源（ＡＣ電源）
１００２    フィルタ
１００３    ＡＣ−ＤＣ変換回路
１００４    停電判定回路
１００５    劣化検出・充電制御回路
１００６    二次電池
１００７    セレクタ
１００８    第１のＤＣ−ＤＣ変換回路
１００９    第２のＤＣ−ＤＣ変換回路
１０１０    第３のＤＣ−ＤＣ変換回路
１０１１，１０１２，１０１３    ＤＣ電源電圧
１０１４    停電判定信号
１０１５    ＤＣ電源電圧
１０１６，１０１７，１０１８    出力ＤＣ電源電圧
Ｔ１        二次電池給電開始時間
Ｔ２        ＡＣ電源給電復帰時間
ｔ５１、ｔ５２，ｔ５３，ｔ５４，ｔ５５  時刻
ｔ６１、ｔ６２，ｔ６３，ｔ６４，ｔ６５  時刻
ｔ７１、ｔ７２，ｔ７３，ｔ７４          時刻
ＴＢ        時間間隔
ＴＢ１      第１時間間隔
ＴＢ２      第２時間間隔
ＴＢ３      第３時間間隔
ＴＢ４      第４時間間隔
ＴＳ        シャットダウン指示時間
【図１】
2012147263.tif 000003
【図２】
2012147263.tif 000004
【図３】
2012147263.tif 000005
【図４】
2012147263.tif 000006
【図５】
2012147263.tif 000007
【図６】
2012147263.tif 000008
【図７】
2012147263.tif 000009
【図８】
2012147263.tif 000010
【国際調査報告】
2012147263.tif 000011
2012147263.tif 000012
2012147263.tif 000013
2012147263.tif 000014